(57)【特許請求の範囲】
【請求項１】
果樹及び野菜類の枝類を誘引する誘引線に対して枝類を平面視で交差する方向に誘引する誘引具であって、
Ｕ字状の誘引本体と、
該誘引本体の少なくとも一端側に一体的に設けられ且つ該誘引本体を上記誘引線に着脱可能に取付ける取付部とを備え、
前記取付部は、上記誘引本体を、逆Ｕ字状の形状で前記誘引線の上側に突出した状態で該誘引線に固定するように構成され、
前記取付部は、上記誘引線の周面を弾力的に挟持する一対の挟持部を有し、
前記取付部によって上記誘引線に固定された状態の前記誘引本体が、上記誘引線を挟持した状態の前記一対の挟持部と平面視で重複しない状態になるように、該一対の挟持部が配置され、
前記取付部は、逆Ｕ字状をなした状態の前記誘引本体を、前記誘引線の下側から上方に移動させるか、或いは、前記誘引線の上側から下方に移動させることにより、該誘引本体を、前記誘引線から上方突出した状態で該誘引線に取付けるように、構成された
ことを特徴とする誘引具。
【請求項２】
Ｕ字状に成形され且つ該形状が維持される誘引本体を備えた
請求項１に記載の誘引具。
【請求項３】
前記一対の挟持部からそれぞれ連続した一対のガイド部を有し、
前記一対のガイド部は、互いの距離を次第に狭くしながら前記誘引線を前記一対の挟持部の間に案内する一対のガイド部を有する
請求項１又は２の何れかに記載の誘引具。
【発明の詳細な説明】
【技術分野】
【０００１】
本発明は、ぶどう，キウイフルーツ，ナシ，トマト，きゅうり等の果樹及び野菜類の枝や茎，蔓（以下枝類と総称する）を栽培棚の誘引線上で誘引するための誘引具に関する。
【背景技術】
【０００２】
ぶどう等の栽培においては、マニュアル化が容易で熟練度がそれ程必要のない等の理由から、Ｈ型仕立てによる短梢剪定が頻繁に採用される。例えば、図１に示す例では、ぶどうの木（蔓）Ｔにおける圃場から上方に延びた主幹Ｔ１から側面視でＴ字状に主枝（枝類，枝）Ｔ２が延び、主枝Ｔ２の各端側から平面視Ｔ字状に亜主枝（枝類，枝）Ｔ３が延びるように、Ｈ型仕立てによる短梢剪定を行っており、前記亜主枝Ｔ３からは結果母枝や新梢等の側枝（枝類，枝）Ｔ４が延びている。
【０００３】
上述したような短梢剪定では、網の目状に交差（図示する例では直交）させて張設された複数の誘引線（支持線）Ｌによって構成された栽培棚Ｒによって、主枝Ｔ２、亜主枝Ｔ３又は側枝Ｔ４等を支持させる。生育にあたっては、前記枝類Ｔ２，Ｔ３，Ｔ４を平面視で誘引線Ｌに交差した状態で該誘引線Ｌに係止させることが望ましく、このような係止によって枝類Ｔ２，Ｔ３，Ｔ４を予め定められた所定の方向に生長させることが容易になる。
【０００４】
そして、このような係止を可能にするものとして、フレキシブルに変更可能なバンド部と、該バンド部の両端部にそれぞれ個別に形成された結束部（取付部）とを備え、該バンド部をＵ字上に曲げた状態で両側の結束部によって誘引線に吊下げて支持する誘引具が公知になっている（例えば、特許文献１を参照）。
【先行技術文献】
【特許文献】
【０００５】
【特許文献１】特許平６−３３５３２６号公報
【発明の概要】
【発明が解決しようとする課題】
【０００６】
上記文献の誘引具は、バンド部のＵ字状内に枝類を挿通させることにより、この枝類を平面視で誘引線に交差させた状態で係止させることが可能になる一方で、枝類が誘引線の下側に位置し、誘引具によって吊下げ支持されるため、この誘引具の耐荷重を枝類の重さも加味して高く設定する必要があり、その強度を確保するために単価が高くなり易いという欠点がある。
【０００７】
本発明は、水平な方向に沿う誘引線に対して枝類を平面視で交差する方向に誘引する誘引具であって、誘引線に下支えされた枝類を誘引可能であって且つ単価を安く抑えることが可能な誘引具を提供することを課題とする。
【課題を解決するための手段】
【０００８】
上記課題を解決するため、果樹及び野菜類の枝類を誘引する誘引線に対して枝類を平面視で交差する方向に誘引する誘引具であって、Ｕ字状の誘引本体と、該誘引本体の少なくとも一端側に一体的に設けられ且つ該誘引本体を上記誘引線に着脱可能に取付ける取付部とを備え、前記取付部は、上記誘引本体を、逆Ｕ字状の形状で前記誘引線の上側に突出した状態で該誘引線に固定するように構成され、前記取付部は、上記誘引線の周面を弾力的に挟持する一対の挟持部を有し、前記取付部によって上記誘引線に固定された状態の前記誘引本体が、上記誘引線を挟持した状態の前記一対の挟持部と平面視で重複しない状態になるように、該一対の挟持部が配置され、前記取付部は、逆Ｕ字状をなした状態の前記誘引本体を、前記誘引線の下側から上方に移動させるか、或いは、前記誘引線の上側から下方に移動させることにより、該誘引本体を、前記誘引線から上方突出した状態で該誘引線に取付けるように、構成されたことを特徴とする。
【０００９】
Ｕ字状に成形され且つ該形状が維持される誘引本体を備えたものとしてもよい。
【００１０】
前記一対の挟持部からそれぞれ連続した一対のガイド部を有し、前記一対のガイド部は、互いの距離を次第に狭くしながら前記誘引線を前記一対の挟持部の間に案内する一対のガイド部を有するものとしてもよい。
【発明の効果】
【００１１】
Ｕ字状の誘引本体を、逆Ｕ字状をなす姿勢で且つ誘引線から上側に突出した状態で、取付部によって該誘引線に取付け、この突出した逆Ｕ字状内に、枝類を挿通させて係止させれば、誘引線の上側に位置する枝類を、平面視で誘引線に交差させた状態で、誘引することができる他、該枝類は誘引線によって下支えされるため、この枝類の重みを加味して耐荷重を設定する必要がなく、誘引具の単価を易く抑えることが容易になる。
【図面の簡単な説明】
【００１２】
【図１】一般的なＨ型仕立てによる短梢剪定の構成を模式的に示す斜視図である。
【図２】本発明を適用した誘引具による誘引方法の一例を示した斜視図である。
【図３】図２に示す誘引具の斜視図である。
【図４】（Ａ）乃至（Ｃ）は、図２，図３に示す誘引具が誘引線に装着される状態で順次示す側面図である。
【図５】誘引具の他の実施形態の構成を示す要部斜視図である。
【図６】誘引具の他の実施形態の構成を示す斜視図である。
【図７】誘引具の他の実施形態の構成を示す要部側面図である。
【図８】図７に示す誘引具の他の使用例を示す要部側面図である。
【図９】図７に示す誘引具の他の使用例を示す要部側面図である。
【図１０】誘引具の他の実施形態の構成を示す要部斜視図である。
【図１１】誘引具の他の実施形態の構成を示す斜視図である。
【図１２】誘引具の他の実施形態の構成を示す要部背面図である。
【図１３】誘引具の他の実施形態の構成を示す斜視図である。
【発明を実施するための形態】
【００１３】
図２は、本発明を適用した誘引具による誘引方法の一例を示した斜視図であり、図３は、図２に示す誘引具の斜視図である。これらに示す誘引具１は、枝類Ｔ２，Ｔ３，Ｔ４（図示する例では、新梢Ｔ４）を誘引するものであり、一本の線状部材２を曲げ形成することにより構成されている。
【００１４】
この線状部材２は、金属等からなるワイヤーや針金等の芯材２ａと、該芯材２の周面を全周且つ全長に亘り覆う合成樹脂製のカバー体２ｂとから構成されている。この線状部材２の中間部を円弧状に湾曲形成させることによりＵ字状の誘引本体３が形成され、前記線状部材２における誘引本体３よりも端寄り部分を、該誘引本体３のＵ字形状を正面から見て手前側又は奥側に円弧状に曲げ形成して該誘引本体３側に折返すことにより、取付部４を構成している。この取付部４によって、前記誘引本体３が誘引線Ｌに取付けられる。
【００１５】
前記誘引本体３のＵ字形状は、外力が作用しても、そのＵ字形状を維持されるように、線状部材２の強度が設定されている。すなわち、曲げ形成は可能である一方で、曲げ形成の後はある程度の外力が作用してもその形状が保持されるような強度を有する材料を、芯材２ａの材料として選定する。なお、このＵ字状には、曲げた部分が円弧状をなすものの他、コの字状をなすようなものも含まれる。
【００１６】
前記取付部４は、図示する例では、誘引本体３のＵ字形状の両端側にそれぞれ一体成形されている。線状部材２上において、円弧状をなす曲げ部４ａよりも誘引本体３に近い側の部分と、遠い側とに、挟持部６，７がそれぞれ形成されている。この一対の挟持部６、７の一方は誘引本体３と連続し且つ誘引本体３に対して固定された固定側挟持部６になり、他方は曲げ部４ａを介して前記固定側挟持部６と連続し且つ該固定側挟持部６に対して離間・近接方向の弾力的に回動作動する可動側挟持部７になる。
【００１７】
この可動側挟持部７は、固定側挟持部６との距離が、曲げ部４ａから遠ざかるに従って次第に短くなるように該固定側挟持部６に対して斜めに傾斜した部分を有し、この傾斜部分よりも曲げ部４ａから遠ざかった先端部が、前記曲げ部４ａとは反対方向に湾曲形成されて折返され、後述するガイド部８を構成している。
【００１８】
この一対の挟持部６，７の間に誘引線Ｌの周面を収容して挟持する。このため、この誘引線Ｌの周面を挟持部６，７の間に挿入させる挿入部９が固定側挟持部６の誘引本体３寄り部分と、該部分に対向する可動側挟持部７部分との間に形成されている。この挿入部９の寸法は、誘引線Ｌの径よりも若干小さく設計されているため、該挿入部９から誘引線Ｌを挿入しようとする場合、可動側挟持部７を、固定側挟持部６から離間する側に弾力的に開作動させる必要がある。
【００１９】
ちなみに、ガイド部８は、誘引線Ｌの周面の挿入部９を介した挟持部６，７間への挿入時、自身の挿入部９側に円弧状に湾曲した部分によって、該誘引線Ｌを挿入部９に案内する。
【００２０】
次に、図２及び図４に基づいて、この誘引具１を用いた誘引方法の構成を説明する。
【００２１】
図４（Ａ）乃至（Ｃ）は、図２，図３に示す誘引具が誘引線に装着される状態で順次示す側面図である。新梢Ｔ４を、この誘引具１によって誘引する場合、まず、誘引本体３が逆Ｕ字状をなす姿勢の誘引具１を、誘引線Ｌによって下支えされた新梢Ｔ４の真上から下方に移動させ、該新梢Ｔ４の周面を誘引本体３のＵ字部内に収容させる。
【００２２】
続いて、誘引具１の一対の取付部４，４が誘引線Ｌの真下に位置するように、該誘引具１を、新梢Ｔ４の周囲を逆Ｕ字状内に収容したままの状態で、下方に移動させる（図４（Ａ）参照）。ちなみに、この際、新梢Ｔ４は、誘引線Ｌよりも上側に位置している。
【００２３】
続いて、一対の各取付部４を、誘引本体３及びそれに保持された新梢Ｔ４と共に、誘引線Ｌの真下側から誘引線Ｌ側に上方移動させると、上記ガイド部８の案内によって、誘引線Ｌの周面が挿入部９に移動し、一対の挟持部６，７の間の距離が弾力的に拡張されて該挟持部６，７が開作動する（同図（Ｂ）参照）。
【００２４】
この状態から誘引具１をさらに誘引線Ｌに対して上方に移動させると、一対の挟持部６，７の間に、誘引線Ｌの周面が完全に挿入され、これに伴って、一対の挟持部６，７間の距離が若干弾力的に縮小して該挟持部６，７が閉作動し、誘引線Ｌの周面を弾力的に挟持する状態になる（同図（Ｃ）参照）。
【００２５】
一方、このような装着状態において、装着方向と逆方向にある程度の力を加えると、挟持部６，７間の誘引線Ｌの挟持が解除され、挿入部９を介して誘引具１が誘引線Ｌから取外される。
【００２６】
挟持部６，７間に誘引線Ｌが完全に収容されている状態（具体的には同図（Ｃ）に示す状態）と、されていない状態（具体的には同図（Ａ）に示す状態）とを比較すると、前者の状態は、後者の状態に比べて、挟持部６，７間の距離が長く、閉作動側に弾性力が発生する状態になる。このような誘引線Ｌの弾力的な挟持によって、重力に抗した起立姿勢で、誘引具１（誘引本体３）を誘引線Ｌに固定させることが可能になる。
【００２７】
また、一対の挟持部６，７間で誘引線Ｌを移動させれば、可動挟持部７の上述した傾斜部分の作用によって、この弾力的な挟持力の大きさが変化する。
【００２８】
以上のように構成される誘引具１によれば、誘引具１の誘引線Ｌへの装着作業（取付作業）が、単純に誘引具１を誘引線Ｌに移動させて着脱可能に取付けるのみであるため、葉身Ｔ５や葉柄Ｔ６又は副梢（野菜の場合には「脇芽」）Ｔ７等に妨げられることなく（これらを折り曲げ等して避ける必要がなく）、迅速且つ正確に実行可能になる。
【００２９】
また、誘引線Ｌが上記ガイド部８によって、スムーズに挿入部９に案内されるため、誘引線Ｌの周面を挟持部６，７間に挟持させて誘引具１を該誘引線Ｌに装着させる作業をよりスムーズに行うことが可能になる。
【００３０】
ちなみに、短梢剪定によるＨ型仕立てでは、この誘引状態は翌年も同様な状態で維持し又は若干の調整をしながら維持されるため、誘引具１は略同一位置に取付けられ、そのまま次のシーズンまで放置することができる。その結果、誘引具１は材質等に一定の耐候性その他の耐久性をもたせることで繰り返しその場で使用できる利点がある。
【００３１】
なお、上述の例では、誘引対象の枝類が新梢Ｔ４である場合を説明したが、勿論枝類は、これに限定されるものではなく、主枝Ｔ２でも、亜主枝Ｔ３であってもよい。また、本例のぶどうの枝類Ｔ２，Ｔ３，Ｔ４の誘引について説明したが、この誘引具１は、それ以外の果樹や野菜等に用いることが可能である。図示する例では、枝類Ｔ４を平面視で誘引線Ｌに対して直交させているが、その交差角は９０度である必要はなく、平面視で交差すればよい。
【００３２】
また、一対の挟持部６，７間の距離は曲げ部４ａを支点とした弾力変形によって開閉可能であるため、該一対の挟持部６，７部分同士は、部分的又は全体的に接当して閉じられた状態であってもよい。
【００３３】
また、誘引具１の材料は、単一の線状部材２によって構成されるものに限定されるものではなく、合成樹脂製の複数部品によって構成したものでもよい。
【００３４】
さらに、この誘引具１は、取付部４によって誘引本体３をＵ字状の姿勢で誘引線Ｌから下方に突出させた状態で、該誘引線Ｌに着脱可能に固定させることも可能であり、この場合には、枝類Ｔ２，Ｔ３，Ｔ４が誘引線Ｌの下側に通され、この誘引具１によって誘引線Ｌに吊下げ支持される。
【００３５】
次に、図５に基づき、誘引具１の他の実施形態について上述の形態と異なる点を説明する。
【００３６】
図５は、誘引具の他の実施形態の構成を示す要部斜視図である。同図に示す形態では、曲げ部４ａに代えて、つる巻きバネ部（バネ部）４ｂを設けている。つる巻きバネ部４ｂは、線状部材２をラセン状に巻き成形することにより構成され、上述した弾力的な挟持を可能とする弾性力（具体的には閉方向への弾性力）を生じさせる。また、この形態では、芯材２ａの軸方向の一部（具体的には、つる巻きバネ部４ｂ及び可動側挟持部７）では、カバー体２ｂが省略され、該芯材２ａが露出している。さらに、ガイド部８は、上述の形態では、先端側に向かって円弧状に湾曲していたが、本形態では、への字状に屈曲形成され、斜めに傾斜した部分で、誘引線Ｌの挿入部９へのガイドを行う。なお、本形態においても、勿論、円弧状に湾曲した形状によってガイド部８を構成してもよい。
【００３７】
次に、図６に基づき、誘引具１の他の実施形態について上述の形態と異なる点を説明する。
【００３８】
図６は、誘引具の他の実施形態の構成を示す斜視図である。同図に示す形態では、曲げ部４ａが、誘引本体３の逆Ｕ字形状を正面から見た場合における側面視で、Ｄ字の環状又は略環状に曲げ形成されている。この側面視で環状をなす曲げ部４ａは、固定側挟持部６と対向する可動側挟持部７となる。また、この曲げ部４ａの一部によって、上述したガイド部８も形成される。
【００３９】
さらに、この挟持部７からはＵ字状の第２曲げ部１１が連続し、この第２曲げ部１１から延出された端部は、フック状に曲げ形成されて係止部１１ａを構成しており、この係止部１１ａが環状の曲げ部４ａに引掛けて係止される。該構成の第２曲げ部１１は、一対の取付部４の少なくとも一方側に一体で設けられ、挟持部６，７から誘引本体３と反対側に延出される把持部になる。この把持部１１を把持して、上述した誘引具１の誘引線Ｌへの装着作業や取外し作動を行うと、着脱作業をより簡単に行うことが可能になる。
【００４０】
次に、図７に基づき、誘引具１の他の実施形態について上述の形態と異なる点を説明する。
【００４１】
図７は、誘引具の他の実施形態の構成を示す要部側面図である。上述の形態では、誘引本体３が逆Ｕ字状をなす姿勢の誘引具１を、誘引線Ｌの下側から、上方に移動させることにより、該誘引線Ｌに装着する例につき説明したが、同図に示す形態では、誘引線Ｌの上側から下方に移動させることにより、誘引具１の装着を行う。
【００４２】
この機能を実現するため、これまでの形態では、誘引本体３の逆Ｕ字形状を正面視とした場合における側面視で、各取付部４の上端側に挿入部９を形成していたが、本形態では、側面視で取付部４の下端側に挿入部９を配置形成させる。これを具体的に説明すると、３つのＵ字状に湾曲した曲げ部４ａ，４ｃ，４ｄによって、取付部４が側面視でＷ字状に成形され、このＷ字状の両サイドのＵ字状部における対向部分が一対の挟持部６，７を構成している。ちなみに、この一対の挟持部６，７は、両方とも可動側挟持部になる。
【００４３】
該構成によって、一対の挟持部６，７の下端部には挿入部９が開口形成され、各挟持部６，７の下端部の曲げ部４ａ，４ｄの互いに対向する部分がそれぞれ上述のガイド部８，８として機能する。ちなみに、この一対の挟持部６，７は挿入部９に近くなる程、互いの距離が次第に短くなるように傾斜形成されている他、線状部材２における仮想線ｌを引いた部分よりも先端側位置する部分はカバー体２ｂを省略してもよい。
【００４４】
該構成の誘引具１では、誘引本体３が逆Ｕ字状をなす姿勢の誘引具１を、誘引線Ｌによって下支えされた新梢Ｔ４の真上から下方に移動させ、該新梢Ｔ４の周面を誘引本体３のＵ字部内に収容させる。
【００４５】
続いて、誘引具１の一対の取付部４，４を誘引線Ｌの真上に位置させ、該誘引具１を新梢Ｔ４を収容した状態のまま下方に移動させることにより、誘引線Ｌの周面がガイド部８の案内によって挿入部９側に移動し、一対の挟持部６，７間の距離が弾力的に拡張されて該挟持部６，７が開作動する。
【００４６】
この状態から、誘引具１をさらに下方に移動させると、一対の挟持部６，７の間に誘引線Ｌの周面が完全に挿入され、これに伴って、一対の挟持部６，７間の距離が若干弾力的に縮小して該挟持部６，７が閉作動し、この誘引線Ｌが一対の挟持部６，７によって弾力的に挟持される。
【００４７】
なお、図８に示す通り、このＷ字状の最も誘引本体３の近い側のＵ字状部における対向部分によって前記挟持部６，７を構成することや、図９に示す通り、該Ｗ字状の最も誘引本体３の遠い側のＵ字状部における対向部分によって前記挟持部６，７を構成することも可能である。この場合には、図４に示すような手順によって誘引具１が誘引線Ｌに装着される。
【００４８】
次に、図１０に基づき、誘引具１の他の実施形態について上述の形態と異なる点を説明する。
【００４９】
図１０は、誘引具の他の実施形態の構成を示す要部斜視図である。同図に示す例では、一対の挟持部６，７の一方が環状に成形され、他方が線状に成形されている。具体的には、曲げ部４ａが環状に湾曲されて固定側挟持部６を構成し、そこからさらに延出された線状部材２を、該固定側挟持部６に環状形状内に挿通させて突出させることにより、可動側挟持部７を構成している。
【００５０】
次に、図１１に基づき、誘引具１の他の実施形態について上述の形態と異なる点を説明する。
【００５１】
図１１は、誘引具の他の実施形態の構成を示す斜視図である。上述した形態では、Ｕ字状の誘引本体３の両端部にそれぞれ取付部４を設ける例につき説明したが、同図に示す形態では、誘引本体３のＵ字の一端側のみに取付部４を設けるとともに、他端側には誘引線Ｌに係脱自在に引掛けて係合させる補助フック部１２が形成され、さらにこの補助フック部１２の先端部は折返され、この折返し部分は、葉身Ｔ５等への裂傷を防止する防止部１２ａを構成している。
【００５２】
また、取付部４は、上述した例では、環状部分が固定側挟持部６になり、線状部分が可動側挟持部７になったが、本形態では、これが逆になっている。具体的には、線状の固定側挟持部６から連続する曲げ部４ａからさらに先の線状部材２が、長孔を模した環状に曲げ形成されて可動側挟持部７を構成している。可動側挟持部７の環状内には、線状の固定側挟持部６が挿通された状態になるように、可動側挟持部７が環状に曲げ形成される他、可動側挟持部７の先端部は、折返されるように曲げ形成されて固定側挟持部６に係止されるフック状の係止部７ａを構成している。
【００５３】
この取付部４は、誘引本体３に近い側に挿入部９が形成されるので、誘引線Ｌへの装着作業は、図２乃至図６に示すものと同様である。
【００５４】
次に、図１２に基づき、誘引具１の他の実施形態について上述の形態と異なる点を説明する。
【００５５】
図１２は、誘引具の他の実施形態の構成を示す要部背面図である。図１１に示す形態では、環状の可動側挟持部７と線状の固定側挟持部６とが曲げ部４ａによって接続されているが、この図１２に示す形態では、螺旋状のつる巻きバネ部４ｂによって接続されている。環状の可動側挟持部７からさらに先端に延びる線状部材２は、つる巻きバネ４ｂと一体的に筒状をなすように螺旋状に巻かれて螺旋状部７ｂを構成している。
【００５６】
次に、図１３に基づき、誘引具１の他の実施形態について上述の形態と異なる点を説明する。
【００５７】
図１３は、誘引具の他の実施形態の構成を示す斜視図である。同図に示す例では、Ｕ字状の誘引本体３の一端から延出された線状部材２は、８の字状に曲げ形成されてクリップ片４ｅを構成し、さらに螺旋状に巻き形成されてつる巻きバネ部４ｂを構成し、さらに８の字状に曲げ形成されて別のクリップ片４ｆを構成している。
【００５８】
この一対のクリップ片４ｅ，４ｆは、誘引本体３のＵ字形状を正面から見た場合における側面視で、それぞれ８の字状に曲げ形成され、互いに対向して、その中間部分同士が、側面視で筒状をなす上記つる巻きバネ部４ｂによって回動可能に連結されている。各クリップ片４ｅ，４ｆの八の字形状が有する２つの環状部分における誘引本体３側の環状部分は、挟持部６，７を構成し、他方はつまみ部１３，１４を構成している。
【００５９】
一対の挟持部６，７における誘引本体３に近い側が固定側挟持部６になり、遠い側が可動側挟持部７になり、前記つる巻きバネ４ｂは、可動側挟持部７が固定側挟持部６に近づく側に該可動側挟持部７を弾性付勢している。言換えると、つる巻きバネ部４ｂは、一対の挟持部６，７同士が閉じて、一対のつまみ部１３，１４同士が開く側に、一対のクリップ片４ｅ，４ｆを弾性付勢している。
【００６０】
そして、この弾性力に抗して、一対のつまみ部１３，１４を摘んで互いを近づけるように閉操作することにより、一対の挟持部６、７が互いに離間して開作動される。一方、この状態から手を離すと、つる巻きバネ部４ｂの弾性力によって、一対のつまみ部１３，１４同士が開操作され、一対の挟持部６，７が互いに近づくように閉作動される。すなわち、一対のつまみ部１３，１４の開閉操作によって、一対の挟持部６、７が開閉作動し、挟持・挟持解除（保持・保持解除）が行われる。
【符号の説明】
【００６１】
１  誘引具
２  線状部材
３  誘引本体
４  取付部
６  固定側挟持部（挟持部，可動側挟持部）
７  可動側挟持部（挟持部）
８  ガイド部
１３  つまみ部
１４  つまみ部
１１  把持部（第２曲げ部）
Ｌ  誘引線（支持線）
Ｔ２  主枝（枝類）
Ｔ３  亜主枝（枝類）
Ｔ４  側枝（枝類，新梢）
【図１】
0006737463.tif 000002
【図２】
0006737463.tif 000003
【図３】
0006737463.tif 000004
【図４】
0006737463.tif 000005
【図５】
0006737463.tif 000006
【図６】
0006737463.tif 000007
【図７】
0006737463.tif 000008
【図８】
0006737463.tif 000009
【図９】
0006737463.tif 000010
【図１０】
0006737463.tif 000011
【図１１】
0006737463.tif 000012
【図１２】
0006737463.tif 000013
【図１３】
0006737463.tif 000014